(57)【要約】【課題】溶接ガンの電極が摩耗しても溶接後のワークの品質低下を抑えるとともに治具の簡素化を図ることができるエア加圧式溶接ガンの電極補正装置および電極位置補正方法を提供する。【解決手段】エア加圧式溶接装置１は、溶接装置本体２にブレーキ付エアシリンダー６が設けられており、シリンダー６内には空気圧によりロッド６２を固定するブレーキが設けられている。またエア加圧式溶接ガン５は、ブレーキ付エアシリンダー６にガイド部７を介して連結されており、固定電極８３と移動電極９５を備えている。固定電極８３は、先端部が予め基準位置Ｔに合わせられて固定されている一方、移動電極９５は先端部が固定電極８３の先端部と対向して配置され、固定電極８３に対し進退するように構成されている。またロボット１０のロボットハンド１３には当て板２０が取り付けられており、この当て板２０は基準位置Ｔに合わせて配置されるように形成されている。【選択図】    図１
2004351476.tif 000002
【特許請求の範囲】
【請求項１】
固定電極と、この固定電極に対して進退する移動電極とを備え、前記固定電極は先端部が予め基準位置に合わせられて固定されている一方、前記移動電極は前記固定電極の前記先端部に先端部が対向して配置され、前記基準位置に片方のワークを合わせて両電極間に配置された前記一対のワークを、空気圧を利用して前記移動電極を前進させて前記固定電極とで挟んで加圧し、両電極間に溶接電流を流して前記一対のワークを溶接するエア加圧式溶接ガンの前記固定電極の前記先端部の位置を補正する電極位置補正装置において、
前記基準位置に合わせて配置される当て板と、
この当て板が前記基準位置に配置可能な状態で、前記固定電極を前記基準位置から離す固定電極離し手段と、
前記固定電極が前記基準位置から離れた状態で、前記基準位置に前記当て板を合わせて配置する当て板配置手段と、
前記基準位置から離れた前記固定電極の前記先端部を、前記基準位置に合わせて配置された前記当て板に当てる固定電極当て手段と、
前記当て板に当てた前記固定電極の位置を固定する固定電極位置固定手段と、
前記当て板に当てた前記固定電極の位置が固定された状態で、前記当て板を前記基準位置から離す当て板離し手段と、
を備えたことを特徴とするエア加圧式溶接ガンの電極位置補正装置。
【請求項２】
前記固定電極離し手段と前記固定電極当て手段と前記固定電極位置固定手段とを、空気圧を利用して前記固定電極を移動または固定させるブレーキ付エアシリンダーから構成したことを特徴とする請求項１記載のエア加圧式溶接ガンの電極位置補正装置。
【請求項３】
少なくとも前記固定電極離し手段と前記固定電極当て手段と前記固定電極位置固定手段とを、前記エア加圧式溶接ガンを固定するガンスタンドに取り付けたことを特徴とする請求項１または２記載のエア加圧式溶接ガンの電極位置補正装置。
【請求項４】
少なくとも前記固定電極離し手段と前記固定電極当て手段と前記固定電極位置固定手段とを、前記エア加圧式溶接ガンを移動させるロボットに取り付けたことを特徴とする請求項１または２記載のエア加圧式溶接ガンの電極位置補正装置。
【請求項５】
固定電極と、この固定電極に対して進退する移動電極とを備え、前記固定電極は先端部が予め基準位置に合わせられて固定されている一方、前記移動電極は前記固定電極の前記先端部に先端部が対向して配置され、前記基準位置に片方のワークを合わせて両電極間に配置された前記一対のワークを、空気圧を利用して前記移動電極を前進させて前記固定電極とで挟んで加圧し、両電極間に溶接電流を流して前記一対のワークを溶接するエア加圧式溶接ガンの前記固定電極の前記先端部の位置を補正する電極位置補正方法において、
前記基準位置に合わせて当て板が配置可能な状態で、前記固定電極を前記基準位置から離す固定電極離し工程と、
前記固定電極が前記基準位置から離れた状態で、前記基準位置に前記当て板を合わせて配置する当て板配置工程と、
前記基準位置から離れた前記固定電極の前記先端部を、前記基準位置に合わせて配置された前記当て板に当てる固定電極当て工程と、
前記当て板に当てた前記固定電極の位置を固定する固定電極位置固定工程と、
前記当て板に当てた前記固定電極の位置が固定された状態で、前記当て板を前記基準位置から離す当て板離し工程と、
を備えたことを特徴とするエア加圧式溶接ガンの電極位置補正方法。
【発明の詳細な説明】
【０００１】
【発明の属する技術分野】
本発明は、例えば自動車の車体組立工程で使用されるエア加圧式溶接ガンの電極位置補正装置および電極位置補正方法に関する。
【０００２】
【従来の技術】
従来、例えば車体の組立工程においてインナーパネルやアウターパネル等のワークをスポット溶接する溶接ガンは一般的にＣ型やＸ型等に成型されており、Ｃ型溶接ガンについては、固定アームと、固定アームと対向する可動アームとを備えている。
【０００３】
固定アームには先端部に固定電極が設けられており、この固定電極は、先端部が基準位置に予め固定されている。一方、可動アームは、先端部に移動電極が設けられており、この移動電極は先端部が固定電極の先端部に対向して配置されており、移動電極が固定電極に対して進退するように可動アームが可動可能に構成されている。
【０００４】
そして溶接する際には、ワークの位置を決めるロケートピン、ワークを支持、固定するポスト、クランプなどで構成された治具により、合わせられた一対のワークの片方に基準位置の固定電極を当てる。そして、可動アームを可動させて移動電極を固定電極へ向かって前進させて両ワークを両電極間に挟んで加圧した後、両電極間に溶接電流を流すことによって両ワークを溶接している。
【０００５】
このような溶接ガンの種類としては、可動アームをエアシリンダーで構成し、エアシリンダーに注入した空気圧を利用してワークを加圧するエア加圧式溶接ガンや、可動アームをボールネジで構成し、サーボモータを取り付け、サーボモータの駆動力を利用してワークを加圧するサーボ加圧式溶接ガン（サーボガン）が知られている。
【０００６】
このような溶接ガンは、溶接回数が多くなると溶接時の加圧及び溶接熱により電極の先端部が摩耗する。このため、固定電極の先端部が基準位置から外れてしまうことから溶接ガンには固定電極の先端部の位置を補正する補正機能が備えられている。
【０００７】
例えば、エア加圧式溶接ガンにおいては、ロボットの手首にエアシリンダーを有する溶接ガンを取り付ける構成の場合、溶接ガンとロボットの手首に付いている支持材との間に、溶接ガンがエアシリンダーの可動方向と同じ方向に可動可能にするためバネを介して連結するイコライズ機能が一般的に知られている。このバネは、片方のワークを移動電極に当てた際に縮んで溶接ガン全体をエアシリンダー側へ移動させて固定電極をもう片方のワークに当たるようにバネ力が設定されている。
【０００８】
一方、サーボ加圧式溶接ガンにおいては、サーボモータの回転数から電極の摩耗量をエンコーダで検出して固定電極の位置を補正する方法が一般的に知られている（特許文献１参照）。
【０００９】
すなわち、両電極が摩耗した溶接ガンを空打ちし、両電極が新品の状態の場合と比較して両電極の合計摩耗量を検出する。その後、両電極間に当て板を配置して移動電極のみをワークに当て、移動電極が新品の状態の場合と比較して移動電極の摩耗量を検出する。
【００１０】
そして両電極の合計摩耗量と移動電極の摩耗量の差から固定電極の摩耗量を求め、その摩耗量分だけサーボガン全体をロボットで移動させることにより固定電極の先端部が基準位置に位置するように補正している。
【００１１】
【特許文献１】特開平７−２８４９５７号公報
【００１２】
【発明が解決しようとする課題】
しかしながら、電極位置補正装置としてバネを使用した場合には、ロボットに取り付けた溶接ガンが回転した際にバネが溶接ガンの上側に位置した場合には、溶接ガンの自重によりバネが大きく伸ばされるため、摩耗した固定電極の位置が補正されない状態で溶接されてワークが変形してしまう。したがって、溶接ガンの向きによっては溶接時にワークが変形してしまうため、溶接した後ではワークの品質が低下していた。
【００１３】
また、溶接ガンはバネを介してロボットに取り付けられているため固定電極はワークを十分に支持することができず、治具においてワークを支持、固定するポスト、クランプを溶接後のワークが変形しない程度の必要本数を設置する必要がある。したがって、治具の簡素化を図ることが困難であった。
【００１４】
一方、サーボ加圧式溶接ガンを使用した電極位置補正方法では、両電極が摩耗しても固定電極の先端部が基準位置に合わせられて固定されるため、補正後に再び溶接をする際には固定電極によるワークへの不用意な入力が発生しなくなりワークの変形を防ぐことができる。したがって、エア加圧式溶接ガンの場合のように溶接した後にワークの品質が低下するという課題は解決される。
【００１５】
また、固定電極は位置が補正された状態で固定されることにより両ワークの溶接箇所が両電極により安定して支持されるため、サーボ加圧式溶接ガンを治具として使用することができる。したがって、エア加圧式溶接ガンに比べて治具の簡素化を容易に図ることが可能となっている。
【００１６】
しかしながら、ロボットに取り付けたエア加圧式溶接ガンをサーボ加圧式溶接ガンに変更する場合にはサーボモータを制御する制御装置（ロボット制御装置）が新たに必要となる。このため、エア加圧式溶接ガンで使用していた制御装置（ロボット制御装置）が遊休状態となってしまうので、サーボ加圧式溶接ガンに変更することはできなかった。
【００１７】
本発明は、かかる従来の課題に鑑みてなされたものであり、溶接ガンの電極が摩耗しても溶接後のワークの品質低下を抑えるとともに治具の簡素化を図ることができるエア加圧式溶接ガンの電極補正装置および電極位置補正方法を提供することを目的とする。
【００１８】
【課題を解決するための手段】
前記課題を解決するために本発明の請求項１記載のエア加圧式溶接ガンの電極位置補正装置では、固定電極と、この固定電極に対して進退する移動電極とを備え、前記固定電極は先端部が予め基準位置に合わせられて固定されている一方、前記移動電極は前記固定電極の前記先端部に先端部が対向して配置され、前記基準位置に片方のワークを合わせて両電極間に配置された前記一対のワークを、空気圧を利用して前記移動電極を前進させて前記固定電極とで挟んで加圧し、両電極間に溶接電流を流して前記一対のワークを溶接するエア加圧式溶接ガンの前記固定電極の前記先端部の位置を補正する電極位置補正装置において、前記基準位置に合わせて配置される当て板と、この当て板が前記基準位置に配置可能な状態で、前記固定電極を前記基準位置から離す固定電極離し手段と、前記固定電極が前記基準位置から離れた状態で、前記基準位置に前記当て板を合わせて配置する当て板配置手段と、前記基準位置から離れた前記固定電極の前記先端部を、前記基準位置に合わせて配置された前記当て板に当てる固定電極当て手段と、前記当て板に当てた前記固定電極の位置を固定する固定電極位置固定手段と、前記当て板に当てた前記固定電極の位置が固定された状態で、前記当て板を前記基準位置から離す当て板離し手段と、を備えたものとしている。
【００１９】
かかる構成においては、溶接ガンの電極が摩耗した際には各手段を用いることで固定電極の先端部が基準位置に合わせられて固定されるため、溶接を再開しても固定電極によるワークへの不用意な入力が発生せず、ワークの変形を防ぐことができる。
【００２０】
さらに、固定電極の位置が固定されることから両電極で溶接箇所が安定して支持されるため、エア加圧式溶接ガンを治具として使用することができる。
【００２１】
また請求項２記載のエア加圧式溶接ガンの電極位置補正装置においては、前記固定電極離し手段と前記固定電極当て手段と前記固定電極位置固定手段とを、空気圧を利用して前記固定電極を移動または固定させるブレーキ付エアシリンダーから構成したものとしている。
【００２２】
かかる構成においては電極位置補正装置の構成を簡単にすることができる。
【００２３】
また請求項３記載のエア加圧式溶接ガンの電極位置補正装置においては、少なくとも前記固定電極離し手段と前記固定電極当て手段と前記固定電極位置固定手段とを、前記エア加圧式溶接ガンを固定するガンスタンドに取り付けたものとしている。
【００２４】
かかる構成においては、一般的に高価なサーボ加圧式溶接ガンを用いた電極位置の補正設備及び、自動化設備と同等の設備を構築することが可能になる。
【００２５】
また、請求項４記載のエア加圧式溶接装置においては、少なくとも前記固定電極離し手段と前記固定電極当て手段と前記固定電極位置固定手段とを、前記エア加圧式溶接ガンを移動させるロボットに取り付けたものとしている。
【００２６】
かかる構成においては、一般的に高価なサーボ加圧式溶接ガンを用いた電極位置の補正設備及び、自動化設備と同等の設備を構築することが可能になる。
【００２７】
また、請求項５記載のエア加圧式溶接ガンの電極位置補正方法では、固定電極と、この固定電極に対して進退する移動電極とを備え、前記固定電極は先端部が予め基準位置に合わせられて固定されている一方、前記移動電極は前記固定電極の前記先端部に先端部が対向して配置され、前記基準位置に片方のワークを合わせて両電極間に配置された前記一対のワークを、空気圧を利用して前記移動電極を前進させて前記固定電極とで挟んで加圧し、両電極間に溶接電流を流して前記一対のワークを溶接するエア加圧式溶接ガンの前記固定電極の前記先端部の位置を補正する電極位置補正方法において、前記基準位置に合わせて当て板が配置可能な状態で、前記固定電極を前記基準位置から離す固定電極離し工程と、前記固定電極が前記基準位置から離れた状態で、前記基準位置に前記当て板を合わせて配置する当て板配置工程と、前記基準位置から離れた前記固定電極の前記先端部を、前記基準位置に合わせて配置された前記当て板に当てる固定電極当て工程と、前記当て板に当てた前記固定電極の位置を固定する固定電極位置固定工程と、前記当て板に当てた前記固定電極の位置が固定された状態で、前記当て板を前記基準位置から離す当て板離し工程と、を備えたものとしている。
【００２８】
かかる構成においては、溶接ガンの電極が摩耗した際には各工程により固定電極の先端部が基準位置に合わせられて固定されるため、溶接を再開しても固定電極によるワークへの不用意な入力が発生せず、ワークの変形を防ぐことができる。
【００２９】
さらに、固定電極の位置が固定されることから両電極で溶接箇所が安定して支持されるため、エア加圧式溶接ガンを治具として使用することができる。
【００３０】
【発明の実施の形態】
以下、本発明の実施の形態を図にしたがって説明する。
【００３１】
図１は本発明の第１の実施の形態を示すエア加圧式溶接装置１の概略構成図である。このエア加圧式溶接装置１は、溶接場所に設けられた溶接装置本体２と、溶接装置本体２と対向して溶接場所に設けられたロボット１０と、溶接装置本体２とロボット１０に接続した図外の制御装置と、溶接するワークを位置決め支持する図示しない治具とを備えている。
【００３２】
さらに溶接装置本体２は、溶接場所に固定されたガンスタンド３と、ガンスタンド３に取り付けられた可動部４と、可動部４に取り付けられたエア加圧式溶接ガン５とから構成されている。
【００３３】
ガンスタンド３は逆Ｌ字形に形成されており、溶接場所から起立した柱状のガンスタンド本体３１と、ガンスタンド本体３１の上部からロボット１０へ向かって側方へ延出した側方延出部３２とから構成されている。
【００３４】
可動部４は、ガンスタンド３の側方延出部３２の上面３２ａに取り付けられたブレーキ付エアシリンダー６と、一端側がブレーキ付エアシリンダー６の先端部に連結して他端側が側方延出部３２の底面３２ｂにスライド自在に支持されたガイド部７とから構成されており、ブレーキ付エアシリンダー６は、本発明の電極位置補正装置における固定電極離し手段と固定電極当て手段と固定電極位置固定手段を構成している。
【００３５】
また、ブレーキ付エアシリンダー６は、ガンスタンド３の側方延出部３２の上面３２ａに取り付けられたシリンダーチューブ６１と、シリンダーチューブ６１内でスライド自在に納められたピストン（図示せず）と、このピストンに一端が連結されて他端側がシリンダーチューブ６１から側方延出部３２の前方へ抜出されたロッド６２とを備えている。
【００３６】
シリンダーチューブ６１は、図２にも示すようにガンスタンド３の側方延出部３２の上面３２ａに沿って延在して形成されており、前部（先端部）６３および後部６５（基端部）でブラケット３２ｃ、３２ｃを介して上面３２ａに取り付けられている。
【００３７】
またシリンダーチューブ６１の前部６３、中間部６４、後部６５には図１に示すように接続口６６、６７、６８がぞれぞれ設けられている。また前部６３内にはロッド６２をロックするブレーキ（図示せず）が設けられている。
【００３８】
このブレーキは、シリンダーチューブ６１の前部６３内に設けられてロッド６２を挿通させるブレーキピストンと、ブレーキピストンの内側に設けられてロッド６２を把持するブレーキシューとから成り、前部６３の接続口６６から注入された空気圧でブレーキピストンが移動してブレーキシューがロッド６２を離すことによりロッド６２のロック状態が解除されるように構成されている。
【００３９】
また、このシリンダーチューブ６１にはシリンダー６の動作を制御する電磁方向切替弁Ａ、Ｂが接続されている。電磁方向切替弁Ａは、図１に示すように切替弁本体Ａ０に３つのポート、すなわち切替弁本体Ａ０の入力側に設けられた入力側接続口Ａ１、入力側排出口Ａ２と、切替弁本体Ａ０の出力側に設けられた出力側接続口Ａ３とを有している。
【００４０】
入力側接続口Ａ１は、入力側接続管２１を介して、空気をブレーキ付エアシリンダー６に供給する空気供給源５０に接続されており、出力側接続口Ａ３は出力側接続管２２を介してシリンダーチューブ６１の前部６３の接続口６６に接続されている。
【００４１】
また切替弁本体Ａ０内には収容空間（図示せず）と収容空間を通って前記入出力側のポートを繋ぐ複数の通路が形成されている。すなわち、切替弁Ａ本体内の左側には、入力側排出口Ａ２と出力側接続口Ａ３とを繋ぐ第一通路Ａ４が形成されており、切替弁本体Ａ０内の右側には入出力側の接続口Ａ１、Ａ３を繋ぐ第二通路Ａ５が形成されている。
【００４２】
そして、切替弁本体Ａ０の収容空間内には左右方向Ｘにスライド自在に移動するスプールＡ６が設けられている。スプールＡ６の右側にはロッド（図示せず）の一端側が取り付けられている。ロッドの他端側は切替弁本体Ａ０の右側を挿通して外部へ抜出されており、他端にはプランジャーＡ７が取り付けられている。
【００４３】
一方、スプールＡ６の左側にはリターンスプリングＡ８の一端が取り付けられており、リターンスプリングＡ８の他端は切替弁本体Ａ０内の左側に取り付けられている。
【００４４】
そして、前記プランジャーＡ７にはソレノイドＣが巻かれており、このソレノイドＣは図外の通電装置に接続されている。そして、通電装置からソレノイドＣへ通電がＯＮされるとプランジャーＡ７は左方へ移動し、この状態からソレノイドＣへ通電がＯＦＦされるとプランジャーＡ７は右方へ移動するように構成されている。
【００４５】
そして、このプランジャーＡ７の移動によりロッドを介してスプールＡ６が移動することによって切替弁本体Ａ０内の通路が切り替わるように構成されており、ソレノイドＣへの通電がＯＦＦの時には、図１に示すように第一通路Ａ４が形成されている。
【００４６】
一方、前記電磁方向切替弁Ｂは、図１に示すように切替弁本体Ｂ０に５つのポート、すなわち切替弁本体Ｂ０の入力側に設けられた入力側接続口Ｂ１、入力側第一排出口Ｂ２、入力側第二排出口Ｂ３と、切替弁本体Ｂ０の出力側に設けられた出力側第一接続口Ｂ４、出力側第二接続口Ｂ５を有している。
【００４７】
入力側接続口Ｂ１は入力側接続管２３を介して空気供給源５０に接続されている。また出力側第一接続口Ｂ４は出力側第一接続管２４を介してシリンダーチューブ６１の後部６５の接続口６８に接続されており、出力側第二接続口Ｂ５は出力側第二接続管２５を介してシリンダチューブ６１の中間部６４の接続口６７に接続されている。
【００４８】
また切替弁本体Ｂ０内には、収容空間（図示せず）と収容空間を通って入出力側のポートを繋ぐ複数の通路が形成されている。すなわち切替弁本体Ｂ０の中間部内には、入力側接続口Ｂ１と出力側両接続口Ｂ４、Ｂ５とを繋ぐ第一通路Ｂ６が形成されている。
【００４９】
そして切替弁本体Ｂ０の左側部内には、左側に入力側接続口Ｂ１と出力側第一の接続口Ｂ４とを繋ぐ第二通路Ｂ７が形成されており、右側には入力側第一の排出口Ｂ２と出力側第二接続口Ｂ５とを繋ぐ第三通路Ｂ８とが形成されている。
【００５０】
さらに切替弁本体Ｂ０の右側部内には、右側に入力側接続口Ｂ１と出力側第二接続口Ｂ５とを繋ぐ第四通路Ｂ９が形成されており、左側には入力側排出口Ｂ３と出力側第一接続口Ｂ４とを繋ぐ第五通路Ｂ１０とが形成されている。
【００５１】
そして切替弁本体Ｂ０の収容空間内には左右方向Ｘにスライド自在に移動するスプールＢ１１が設けられている。スプールＢ１１の左右側にはそれぞれロッド（図示せず）の一端が取り付けられている。両ロッドの他端側は切替弁本体Ｂ０の左右側を挿通して外部へ抜出されており、他端にはそれぞれプランジャーＢ１２、Ｂ１３が取り付けられている。
【００５２】
さらにスプールＢ１１の左右側には、リターンスプリングＢ１４、Ｂ１５の一端が取り付けられており、リターンスプリングＢ１４、Ｂ１５の他端は切替弁本体Ｂ０内の左右側に取り付けられている。
【００５３】
また両プランジャーＢ１２、Ｂ１３にはそれぞれソレノイドＤ、Ｅが巻かれており、両ソレノイドＤ、Ｅは前記通電装置に接続されている。そしてこの通電装置から左側のソレノイドＤへ通電がＯＮされると左側のプランジャーＢ１２が右方へ移動し、右側のソレノイドＥへ通電がＯＮされると右側のプランジャーＢ１３が左方へ移動するように構成されている。
【００５４】
そして、両プランジャーＢ１２、Ｂ１３の移動によりロッドを介してスプールＢ１１が左右方向Ｘに移動することによって切替弁本体Ｂ０内の通路が切り替わるように構成されており、両ソレノイドＤ、Ｅへの通電がＯＦＦの時には、図１に示すようにスプールＢ１１が中間に位置して第一通路Ｂ６が形成されている。
【００５５】
一方、前記ガイド部７は、ガンスタンド３の側方延出部３２の底面３２ｂに設けられたガイド部本体（ＬＭガイド）７１と、ガイド部本体（ＬＭガイド）７１を支持する支持部７２と、支持部７２と前記ブレーキ付エアシリンダー６を連結する連結部７３とから構成されている。
【００５６】
ガイド部本体（ＬＭガイド）７１は、図２に示すようにガンスタンド３の側方延出部３２の底面３２ｂの前部に設けられたガイドブロック７４と、ガイドブロック７４をスライド自在に支持するガイドレール７５とから構成されている。
【００５７】
ガイドブロック７４は、ガンスタンド３の前後方向Ｙに沿って下方に開口した断面コ字状に形成されている。一方、ガイドレール７５は前記前後方向Ｙに延在してガイドブロック７４を挿通させる断面Ｉ字状に形成されている。
【００５８】
また支持部７２は、ガンスタンド３の前後方向Ｙに沿って延在してガイド部本体７１よりも大きい板状に形成されている。そして支持部７２の上面７２ａの後部側には前記ガイドレール７５が固定されており、前部側には連結部７３が取り付けられる取付部７６が設けられている。
【００５９】
そして連結部７３は、支持部７２の取付部７６に下端部７７ａが取り付けられて上方へ延出した延出部７７と、延出部７７の上端部７７ｂとブレーキ付エアシリンダー６のロッド６２の先端部６２ａとを連結する連結部材（クレビス）７８とから構成されている。
【００６０】
一方、前記溶接ガン５は、支持部７２に沿って下方へ向いたＣ型に形成されており、支持部７２の底面７２ｂに固定された第一のアーム８と、第一のアーム８の下側に設けられた第二のアーム９とから構成されている。
【００６１】
第一のアーム８は支持部７２に沿って逆Ｌ字型に形成されており、支持部７２の底面７２ｂに沿って延在して底面７２ｂに固定されたベース部８１と、ベース部８１の前端部から下方へ延出したシャンク８２とから構成されている。
【００６２】
このシャンク８２は先端部がベース部８１に沿って内側に屈曲されており、この先端部には固定電極８３が取り付けられている。この固定電極８３は、図３（ａ）に示すように、先端部８３ａが予め基準位置Ｔに合わせられて固定されている。
【００６３】
一方、第二のアーム９は、第一のアーム８のベース部８１の下側に固定されたエアシリンダー９１を中心にして構成されている。このエアシリンダー９１は、第一のアームのベース部８１に固定されたシリンダーチューブ９２と、シリンダーチューブ９２内でスライド自在に納められたピストン（図示せず）と、このピストンの中心に中間部が取り付けられて両端側がシリンダチューブ９２から外部へ抜出されたロッド９３とを備えている。
【００６４】
シリンダチューブには接続口（図示せず）が設けられており、この接続口には接続管（図示せず）を介してシリンダチューブ９２内に空気を注入またはシリンダチューブ９２内の空気を排出させる図外の空気注入排出装置が接続されている。
【００６５】
またロッド９３の先端部には、ガンスタンド３の前後方向Ｙで第一のアーム８のシャンク８２と対向するシャンク９４が設けられており、このシャンク９４の先端部には前記固定電極８３に対向する移動電極９５が取り付けられている。
【００６６】
この移動電極９５は先端部９５ａが固定電極８３の先端部８３ａと対向して配置されており、ロッド９３を進退させることにより固定電極８３に対し進退するように構成されている。また、図示しないが、この溶接ガンには移動電極９５の位置を検出するセンサが設けられている。
【００６７】
一方、前記ロボット１０は、本発明の電極位置補正装置の当て板配置手段と逃がし手段を構成しており、前記ブレーキ付エアシリンダー６とで本実施の形態の電極位置補正装置を構成している。
【００６８】
このロボット１０は、図１に示すように、ロボット本体１１と、ロボット本体１１に多方向へ可動可能に取り付けられたロボットアーム１２と、ロボットアーム１２の先端部に取り付けられたロボットハンド１３とを備えている。
【００６９】
このロボットハンド１３は溶接する一対のワークを把持する（図示せず）ように形成されている一方、図１に示すように当て板２０が取り付けられている。そしてこの当て板２０はロボット１０のアーム１２を可動させて基準位置Ｔに合わせて配置されるように形成されている。また、図示しないが、このロボット１０にはロボットハンド１３で把持されたワークや当て板２０の位置を検出するセンサが設けられている。
【００７０】
また、前記制御装置は、それぞれケーブルを介して通電装置、溶接ガン５およびロボット１０に設けられたセンサ、空気供給源５０、各ソレノイドＣ、Ｄ、Ｅ、空気注入排出装置、ロボット本体１１に接続されている。
【００７１】
そしてこの制御装置には制御装置を起動させるスイッチが設けられているとともに、ＣＰＵ、及び処理手順が記憶されたＲＯＭと処理中のデータを記憶するＲＡＭと、制御装置に接続された前記各機器をそれぞれ駆動する駆動回路が内蔵されており、前記ＲＯＭには、前記ロボットハンド１３で把持した一対のワークをロボット１０により決められた溶接部位に対して順々に移動させ溶接をする溶接プログラムと電極位置の補正プログラムが記憶されている。
【００７２】
そして、前記各位置センサの入力信号と、前記制御プログラムやＲＡＭに記憶されたデータに基づきＣＰＵが各種の演算処理を実行して前記各駆動回路に制御信号を送り、各駆動回路はＣＰＵからの制御信号に応じて各機器の動作を制御するように構成されている。
【００７３】
かかる構成においてこの溶接装置１でワークを溶接する際には、制御装置を起動させるスイッチをＯＮする。これにより溶接プログラムが起動し、ロボットハンド１３が取り付けられているロボット１０は、ロボットアーム１２を可動させて溶接する一対のワークを把持する。次にロボットハンド１３で把持した一対のワークをロボットアーム１２を可動させて溶接ガン５の方へ持っていき、図３（ａ）に示すように片方のワークＷａを基準位置Ｔに合わせて固定電極８３の先端部８３ａに当てて両電極８３、９５間に一対のワークＷａ、Ｗｂを配置する。
【００７４】
次に、空気注入排出装置が起動し、溶接ガン５のエアシリンダー９１の接続口（図示せず）からシリンダー９１内へ空気が注入される。この注入される空気の圧力によってエアシリンダー９１のピストンが前方へ押されて移動し、これに伴ってロッド９３が前方へ移動する。
【００７５】
このロッド９３の移動に伴って移動電極９５が前進して固定電極８３とで両ワークＷａ、Ｗｂを挟んで加圧し、両電極８３、９５間に溶接電流が流されて両ワークＷａ、Ｗｂが溶接される。
【００７６】
そして溶接後は、空気注入排出装置が排出側に切り替わり、エアシリンダー９１内の空気が接続口（図示せず）から接続管を介して空気注入排出装置の外部へ排出されて移動電極９５が後退する。
【００７７】
以上の動作を繰り返し、ロボットハンド１３で把持した一対のワークの全溶接部位を溶接する。
【００７８】
そして、全溶接部位の溶接が終ったらロボットアーム１２を可動させてロボットハンド１３で把持した一対のワークを溶接ガン５から離し、溶接した両ワークＷａ、Ｗｂを次の工程へ送る。次の一対のワークを溶接する際は、再度、制御装置を起動させるスイッチをＯＮすると、前述したような方法で溶接が行われる。
【００７９】
そして溶接を繰り返していくと、図３（ｂ）に示すように両電極８３、９５の先端部８３ａ、９５ａが摩耗して固定電極８３の先端部８３ａが基準位置Ｔから外れる。このため、所定の溶接回数を終了した時には溶接プログラム終了後、電極位置の補正プログラムが起動する。この補正プログラムに基づく電極位置の補正処理を図４のフローチャートに従って説明する。
【００８０】
まず、当て板２０が基準位置Ｔに合わせて配置可能な状態で、溶接ガン５の固定電極８３を基準位置Ｔから離す固定電極離し工程を行う。
【００８１】
この工程は、まず電極位置の補正プログラムが起動すると空気供給源５０が起動するとともに、通電装置から電磁方向切替弁ＡのソレノイドＣへ通電がＯＮされる（ステップＳ１）。
【００８２】
これによりプランジャーＡ７が左方に移動するのに伴ってスプールＡ６が左方へ移動することにより、切替弁本体Ａ０内の通路は第一通路Ａ４から第二通路Ａ５へ切り替わる。
【００８３】
これにより、入力側接続管２１と第二通路Ａ５と出力側接続管２２が繋がるため、空気供給源５０から吐き出された空気は切替弁本体Ａ０内を通ってブレーキ付エアシリンダー６のシリンダチューブ６１の前部６３に注入される。
【００８４】
このシリンダチューブ６１の前部６３に注入された空気の圧力によって前部６３内のブレーキピストン（図示せず）がブレーキシュー（図示せず）を介してロッド６２を離すことにより、ロッド６２のロック状態を解除する（ステップＳ２）。これによりロッド６２は前後方向Ｙに自由に移動可能な状態になる。
【００８５】
またこのとき、電磁方向切替弁Ｂの本体Ｂ０内には第一通路Ｂ６が形成されていることから、入力側接続管２３と第一通路Ｂ６と両出力側接続管２４、２５が繋がっている。したがって、空気供給源５０から吐き出された空気は切替弁本体Ｂ０内を通ってブレーキ付エアシリンダー６のシリンダチューブ６１の中間部６４と後部６５に注入されており、シリンダチューブ６１内のピストンは前後から空気圧で押されて静止している。
【００８６】
続いて通電装置から電磁方向切替弁Ｂの左側のソレノイドＤへ通電がＯＮされる（ステップＳ３）。これにより左側のプランジャーＢ１２が右方に移動するのに伴ってスプールＢ１１が右方へ移動し、切替弁本体Ｂ０内の通路は第一通路Ｂ６から第二通路Ｂ７と第三通路Ｂ８へ切り替わる。この結果、入力側接続管２３と第二通路Ｂ７と出力側第一接続管２４が繋がるとともに、第三通路Ｂ８と出力側第二接続管２５とが繋がった状態となる。
【００８７】
このため、空気供給源５０から吐き出された空気は、切替弁本体Ｂ０内を通ってブレーキ付エアシリンダー６のシリンダチューブ６１の後部６５に注入される。注入される空気の圧力によってシリンダーチューブ６１内のピストンは前方へ押されて移動し、これに伴ってロッド６２も前方へ移動する。
【００８８】
このロッド６２の移動に伴ってガイド部７は、連結部７２を介して支持部７２が、ガイドブロック７４にガイドレール７５をスライドさせていくことでガイド部本体７１に案内されながら、ガンスタンド３に沿って前方へ移動する。
【００８９】
この支持部７２の移動により、図３（ｃ）に示すように移動電極９５が当て板２０の配置位置に入らないように溶接ガン５全体が前方へ移動する。これにより固定電極８３は、当て板２０が基準位置Ｔに配置可能な状態で、基準位置Ｔから離れる（ステップＳ４）。
【００９０】
また、シリンダーチューブ６１内でピストン前方にある空気は、ピストンが前方へ移動することによってシリンダーチューブ６１の中間部６４から第二出力側接続管２５を介して電磁方向切替弁の本体Ｂ０内に入り、入力側第一排出口Ｂ２から外部へ排出される。
【００９１】
次に、溶接ガン５の固定電極８３が基準位置Ｔから離れた状態で、基準位置Ｔに当て板２０を合わせて配置する当て板配置工程を行う（ステップＳ５）。
【００９２】
この工程は、ロボットハンド１３に取り付けられている当て板２０を、ロボットアーム１２を可動させて両電極８３、９５間に振り込んで基準位置Ｔに一方の面２０ａを合わせて配置する。
【００９３】
次に、基準位置Ｔから離れた溶接ガン５の固定電極８３の先端部８３ａを、基準位置に合わせて配置された当て板２０に当てる固定電極当て工程を行う。
【００９４】
この工程は、基準位置Ｔに当て板２０が配置されたら、通電装置から電磁方向切替弁Ｂの右側のソレノイドＥに通電がＯＮされる（ステップＳ６）。これにより右側のプランジャーＢ１３が左方へ移動するのに伴いスプールＢ１１が左方へ移動し、切替弁本体Ｂ０内の通路は第二通路Ｂ７と第三通路Ｂ８から第四通路Ｂ９と第五通路Ｂ１０へ切り替わる。この結果、入力側接続管２３と第四通路Ｂ９と出力側第二接続管２５が繋がるとともに、第五通路Ｂ１０と出力側第一接続管２４とが繋がった状態となる。
【００９５】
したがって、空気供給源５０から吐き出された空気は、切替弁本体Ｂ０内を通ってブレーキ付エアシリンダー６のシリンダチューブ６１の中間部６４に注入される。注入された空気の圧力によってシリンダーチューブ６１内のピストンは後方へ押されて移動し、これに伴ってロッド６２も後方へ移動する。
【００９６】
このロッド６２の移動によってガイド部７は、連結部７２を介して支持部７２が、ガイドブロック７４にガイドレール７５をスライドさせていくことでガイド部本体７１に案内されながら、ガンスタンド３に沿って後方へ移動する。
【００９７】
この支持部７２の移動によって図３（ｄ）に示すように、溶接ガン５全体が後方へ移動して固定電極８３の先端部８３ａが当て板２０の一方の面２０ａに当たる（ステップＳ７）。
【００９８】
また、シリンダーチューブ６１内でピストン後方にある空気は、ピストンが後方へ移動することにより、シリンダーチューブ６１の後部６５から第一出力側接続管２４を介して切替弁本体Ｂ０内に入り、入力側第二排出口Ｂ３から外部へ排出される。
【００９９】
次に、当て板２０に当てた溶接ガン５の固定電極８３の位置を固定する固定電極位置固定工程を行う。この工程は、まず固定電極８３が当て板２０に当たった数秒後に、通電装置から電磁方向切替弁ＡのソレノイドＣへの通電がＯＦＦされる（ステップＳ８）。
【０１００】
これによりプランジャーＡ７が右方へ元の位置まで移動するの伴い、スプールＡ６はバネＡ８が元の状態に戻るまで右方へ移動し、切替弁本体Ａ０内の通路が第二通路Ａ５から第一通路Ａ４へ切り替わる。この結果、第一通路Ａ４と出力側接続管２２が繋がった状態となる。
【０１０１】
このため空気供給源５０から吐き出された空気は、ブレーキ付エアシリンダー６のシリンダチューブ６１の前部６３には注入されず、前部６３内にある空気は出力側接続管２２を介して切替弁本体Ａ０内に入り、入力側排出口Ａ２から外部へ排出される。
【０１０２】
したがって、シリンダチューブ６１の前部６３内にあるブレーキには空気が供給されなくなるため、ブレーキが作動してロッド６２をロックする（ステップＳ９）。
【０１０３】
したがって、溶接ガン５の固定電極８３の先端部８３ａが当て板２０の一方の面２０ａに当たった状態で固定される（ステップＳ１０）。
【０１０４】
続いて電磁方向切替弁Ｂの両ソレノイドＤ、Ｅへの通電がＯＦＦされる（ステップＳ１１）。これにより、左右のプランジャーＢ１２、Ｂ１３が元の位置に戻るとともに、左右のバネＢ１４、Ｂ１５が元の状態に復帰してスプールＢ１１が切替弁本体Ｂ０内の中間に位置し、切替弁本体Ｂ０内の通路が第四通路Ｂ９と第五通路Ｂ１０から第一通路Ｂ４へ切り替わる。この結果、入力側接続管２３と第一通路Ｂ６と出力側の両接続管２４、２５が繋がった状態となる。
【０１０５】
したがって、空気供給源５０から吐き出された空気は、切替弁本体Ｂ０内を通ってブレーキ付エアシリンダー６のシリンダチューブ６１の中間部６４と後部６５に注入される。
【０１０６】
最後に、当て板２０に当てた溶接ガン５の固定電極８３の位置が固定された状態で、当て板２０を基準位置Ｔから離す当て板離し工程を行う（ステップＳ１２）。
【０１０７】
この工程では、ロボットアーム１２を可動させてロボットハンド１３に取り付けられた当て板２０を両アーム８、９の外側へ移動させることにより、当て板２０が基準位置Ｔから離れる。これで電極位置の補正処理が終了する。
【０１０８】
この補正処理の結果、溶接ガン５の電極８３、９５が摩耗しても固定電極８３の先端部８３ａが基準位置Ｔに合わせられて固定されるため、溶接を再開しても固定電極８３によるワークへの不用意な入力が発生せず、ワークの変形を防ぐことができる。よって、本実施の形態の電極位置補正装置および電極位置補正方法においては、溶接後のワークの品質低下を抑えることができる。
【０１０９】
さらに、固定電極８３の位置が固定されることにより、ワークの溶接箇所は両電極により安定して支持されるため、この溶接ガン５を治具として使用することができる。よって、本実施の形態の電極位置補正装置および電極位置補正方法においては、治具の簡素化を図ることができる。
【０１１０】
また、本実施の形態の電極位置補正装置は、固定電極離し手段と固定電極当て手段と固定電極位置固定手段を、固定電極８３を空気圧を利用して移動または固定させるブレーキ付エアシリンダー６から構成したことにより電極位置補正装置の構成を簡単にすることができる。よって、電極位置補正装置の製造コストの低減化を図ることができる。
【０１１１】
また、ブレーキ付エアシリンダー６の制御を電磁方向切替弁Ａ、Ｂで行うため、電極位置補正装置の構成をさらに簡単にすることができる。よって、電極位置補正装置の製造コストをさらに低減させることができる。
【０１１２】
また、当て板配置手段と当て板離し手段とをロボット１０から構成したことから電極位置補正装置の構成をさらに簡単にすることができる。よって、電極位置補正装置の製造コストをさらに低減させることができる。
【０１１３】
また、ブレーキ付エアシリンダー６を溶接ガン５を固定するガンスタンド３に取り付けたことから、一般的に高価なサーボ加圧式溶接ガンを用いた電極位置の補正設備及び、自動化設備と同等の設備を構築することが可能になる。よって、サーボ加圧式溶接ガンを用いた場合に比べて電極位置の補正設備の構築にかかるコストを抑えることができ、また自動化工程構築にかかるコストも抑えることができる。
【０１１４】
また、溶接ガン５は、ガイド部７を介してブレーキ付エアシリンダー６のロッド６２に連結されていることにより、ロッド６２の移動に伴ってガイド部７で案内されながら移動するため、移動の際にふらつくことがなくなる。したがって、固定電極８３を当て板２０にしっかりと当てることが可能となり、先端部８３ａを基準位置Ｔに確実に合わせて配置することができる。よって、電極位置補正装置の性能を高めることができる。
【０１１５】
図５は、本発明の第２の実施の形態を示すエア加圧式溶接装置１００の要部正面図である。以下、第１の実施の形態と同一の部分には同一の符号を付し、異なる部分を中心に説明する。
【０１１６】
このエア加圧式溶接装置１００は、溶接場所に設けられた溶接装置本体１０１と、溶接装置本体１０１と対向して溶接場所に設けられたロボット１０（図１参照）と、溶接装置本体１０１とロボット１０に接続した図外の制御装置と、溶接するワークを位置決め支持する図示しない治具とを備えている。
【０１１７】
溶接装置本体１０１は、溶接場所に設けられたガンスタンド１０２と、ガンスタンド１０２の上部に設けられて左右に延在したエア加圧式溶接ガン１０３と、この溶接ガン１０３の基端側（左側）とガンスタンド１０２の下部とを連結するブレーキ付エアシリンダー１０４と、ブレーキ付エアシリンダー１０４に対向して溶接ガン１０３の先端側（右側）でガンスタンド１０２の下部に取り付けられた振込装置１０５とから構成されている。
【０１１８】
また本実施の形態の電極位置補正装置は、ブレーキ付エアシリンダー１０４と振込装置１０５とから構成されており、ブレーキ付エアシリンダー１０４は固定電極離し手段と固定電極当て手段と固定電極位置固定手段を構成し、振込装置１０５は当て板配置手段と当て板離し手段とを構成している。
【０１１９】
ガンスタンド１０２は、溶接場所から起立した柱状のガンスタンド本体１２１を中心にして構成されている。このガンスタンド本体１２１には、溶接ガン１０３の基端側の側面１２２の下部にブレーキ付エアシリンダー１０４の基端側を取り付ける取付部１２３が設けられている。この取付部１２３は前記側面１２２から溶接ガン１０３に沿って後方へ延出して形成されている。
【０１２０】
また、ガンスタンド本体１２１には、溶接ガン１０３の先端側の下に位置する側面１２４の下部に振込装置１０５の取付部１２５が設けられている。
【０１２１】
この取付部１２５は、ガンスタンド本体１２１の側面１２４に設けられたベース部１２５ａと、ベース部１２５ａの上端部１２５ｂから溶接ガン１０３に沿って前方へ延出した上側延出部１２５ｃと、ベース部１２５ａの下端部１２５ｄから上側延出部１２５ｃに沿って前方へ延出した下側延出部１２５ｅとから構成されている。
【０１２２】
上側延出部１２５ｃは先端が溶接ガン１０３の先端の下方に位置するように長さ寸法が設定されて形成されている一方、下側延出部１２５ｅは上側延出部１２５ｂよりも長さ寸法が短く設定されて形成されている。
【０１２３】
また、ガンスタンド本体１２１の上面１２１ａには支持部１２６が設けられている。この支持部１２６は、ガンスタンド本体１２１の上面１２１ａに設けられたベース部１２７と、ベース部１２７の上面１２７ａに設けられた挿通部１２８と、挿通部１２８の前後璧部１２８ａ、１２８ａ（前璧部１２８ａのみ図示）の上部を連結した支持軸１２９とから構成されており、前記挿通部１２８は前後方向Ｙに挿通可能な上方へ開口したコ字状に形成されている。
【０１２４】
また前記溶接ガン１０３は、ガンスタンド１０２の支持部１２６の支持軸１２９を中心にして上下に揺動自在に支持されており、支持軸１２９に下端部１３１ａが支持されたブラケット１３１と、ブラケット１３１の上端部１３１ｂに取り付けられた溶接ガン本体１３２とから構成されている。
【０１２５】
この溶接ガン本体１３２はＸ型に形成されており、支持部１２６の挿通部１２８内を挿通した第一のアーム１３４と、第一のアーム１３４の上方で対向してブラケット１３１の上端部１３１ｂに取り付けられた第二のアーム１３５と、両アーム１３４、１３５の基端側を連結したエアシリンダー１３６とから構成されている。
【０１２６】
第一のアーム１３４はほぼ直線状に形成されており、支持部１２６の挿通部１２８内を挿通したアーム本体１３４ａと、アーム本体１３４ａの先端部から上方へ延出したシャンク１３４ｂとから構成されている。
【０１２７】
アーム本体１３４ａには、基端側の底面１３４ｃに、前記ブレーキ付エアシリンダー１０４の先端側が取り付けられる取付部（クレビス）１３４ｄが設けられている。またシャンク１３４ｂの先端部には固定電極８３が取り付けられており、固定電極８３は、先端部８３ａが予め基準位置Ｔに合わせられて固定されている。
【０１２８】
一方、第二のアーム１３５は第一のアーム１３４と上下対称にほぼ直線状に形成されており、ブラケット１３１の上端部１３１ｂに取り付けられたアーム本体１３５ａと、アーム本体１３５ａの先端部から第一のアーム１３４のシャンク１３４ｂに対向して下方へ延出したシャンク１３５ｂとから構成されている。
【０１２９】
このシャンク１３５ｂの先端部には移動電極９５が設けられている。この移動電極９５は先端部９５ａが固定電極８３の先端部８３ａと対向するように配置されており、アーム本体１３５ａが支持部１２６の支持軸１２９を中心に揺動することで固定電極８３に対して進退するように構成されている。また図示しないが、溶接ガン１０３には移動電極９５の位置を検出するセンサが設けられている。
【０１３０】
一方、前記エアシリンダー１３６は、基端部１３７ａが溶接ガン１０３の第一のアーム１３４の基端側に取り付けられて上下に位置したシリンダーチューブ１３７と、シリンダーチューブ１３７内にスライド自在に納められたピストン（図示せず）と、ピストンに一端が取り付けられ、他端側がシリンダーチューブ１３７の先端（上端）から外部へ抜出されたロッド１３８とを備えている。
【０１３１】
シリンダチューブ１３７の下部（基端部）には接続口（図示せず）が設けられており、この接続口には接続管（図示せず）を介して第１の実施の形態で説明した図外の空気注入排出装置が接続されている。
【０１３２】
また、ロッド１３８は、他端部（上端部）１３８ａが第二のアーム１３５の基端側に取り付けれており、これによって両アーム１３４、１３５がエアシリンダー１３６で連結されている。
【０１３３】
一方、前記ブレーキ付エアシリンダー１０４は、基端側を下にして上下に位置したシリンダーチューブ６１と、シリンダーチューブ６１の基端部６５に設けられた取付部１０４ａと、シリンダーチューブ６１内でスライド自在に納められたピストン（図示せず）と、このピストンに一端が取り付けられて他端側がシリンダチューブ６１の先端（上端）から抜出されたロッド６２とを備えている。
【０１３４】
取付部１０４ａは、ガンスタンド本体１２１の前記取付部１２３に取り付けられているとともに、ロッド６２の先端部６２ａは、溶接ガン１０３の第一のアーム１３４の取付部材（クレビス）１３４ｄに取り付けられており、これによってブレーキ付エアシリンダー１０４は溶接ガン１０３の基端側とガンスタンド１０２の下部とを連結している。
【０１３５】
またブレーキ付エアシリンダー１０４のシリンダーチューブ６１には、第一の実施の形態と同様に、先端部６３と中間部６４と基端部６５に、図１に示すようにそれぞれ出力側接続管２２、２４、２５を介して電磁方向切替弁Ａ、Ｂの出力側が接続されている。さらに、電磁方向切替弁Ａ、Ｂの入力側には入力側接続管２１、２３を介して空気供給源５０が接続されており、電磁方向切替弁Ａ、ＢのソレノイドＣ、Ｄ、Ｅには通電装置が接続されている。
【０１３６】
一方、前記振込装置１０５は、ガンスタンド１０２の前記取付部１２５の下側延出部１２５ｅに基端側が取り付けられたエアシリンダー１５０と、基端側がエアシリンダー１５０の先端側に取り付けられるとともに取付部１２５の上側延出部１２５ｃに上下に回動自在に支持されたアーム１５１と、アーム１５１の先端に取り付けられた当て板２０とから構成されている。
【０１３７】
エアシリンダー１５０は、取付部１２５の下側延出部１２５ｅの先端部１２５ｆに基端部１５１ａが取り付けられて上下に位置したシリンダーチューブ１５２と、シリンダチューブ１５２内にスライド自在に納められたピストン（図示せず）と、一端がピストンに取り付けられて他端側がシリンダーチューブ１５２の先端（上端）から抜出したロッド１５３とから構成されている。
【０１３８】
そしてシリンダーチューブ１５２の先端側（上部）には接続口（図示せず）が設けられており、この接続口には接続管（図示せず）を介して前記空気注入排出装置に接続されている。
【０１３９】
またアーム１５１は、基端部１５１ａにおいて内側にロッド１５３の先端部１５３ａが取り付けられており、外側に回動軸１５１ｂを介して取付部１２５の上側延出部１２５ｃの先端部１２５ｇが取り付けられている。
【０１４０】
これによりアーム１５１は、回動軸１５１ｂを中心として溶接ガン１０３の先端よりも外側で上下に回動するように構成されており、上方へ回動して溶接ガン１０３の先端に接近したときには先端１５１ｃが基準位置Ｔと同じ高さに位置するように長さ寸法が設定されて形成されている。
【０１４１】
そして当て板２０は、アーム１５１の先端１５１ｃに取り付けられており、アーム１５１の先端１５１ｃが基準位置Ｔと同じ高さに位置したときに、基準位置Ｔに合わせて配置されるように形成されている。
【０１４２】
また前記制御装置は、入力側にケーブルを介して溶接ガン１０３に設けられた前記位置センサが接続されており、出力側にはそれぞれケーブルを介して空気供給源５０、通電装置、空気注入排出装置、ロボット１０が接続されている。
【０１４３】
そしてこの制御装置には制御装置を起動させるスイッチが設けられているとともに、ＣＰＵ、及び処理手順が記憶されたＲＯＭと処理中のデータを記憶するＲＡＭと、前記各機器を駆動するそれぞれの駆動回路が内蔵されており、前記ＲＯＭには、予め設定された溶接プログラムと電極位置の補正プログラムが記憶されている。
【０１４４】
そして、センサの入力信号と、前記制御プログラムやＲＡＭに記憶されたデータに基づいてＣＰＵが各種の演算処理を実行して前記各駆動回路に制御信号を送り、各駆動回路はＣＰＵからの制御信号に応じて各機器の動作を制御するように構成されている。
【０１４５】
かかる構成においてこの溶接装置１００でワークを溶接する際には、制御装置を起動させるスイッチをＯＮする。これにより溶接プログラムが起動し、ロボット１０はロボットアーム１２を可動させてロボットハンド１３で一対のワークを把持して、溶接ガン１０３へ持っていき、片方のワークを基準位置Ｔに合わせて固定電極８３の先端部８３ａに当てて両電極８３、９５間に一対のワークを配置する。
【０１４６】
次に、空気注入排出装置が起動して溶接ガン１０３のエアシリンダー１３６の接続口からエアシリンダー１３６内に空気が注入される。注入される空気の圧力によりエアシリンダー１３６内のピストンが押されて上方へ移動し、これに伴ってロッド１３８も上方へ移動する。
【０１４７】
このロッド１３８の移動に伴い溶接ガン１０３の第二のアーム１３５は、基端側がロッド１３８で下から押されて上げられるのに伴い先端側が下げられる。これにより移動電極９５は固定電極８３へ向かって前進して固定電極８３とで両ワークを挟んで加圧し、両電極８３、９５間に溶接電流を流して両ワークを溶接する。
【０１４８】
そして溶接後、空気注入排出装置が排出側に切り替わり、エアシリンダー１３６の接続口から接続管を介して空気注入排出装置の外部へ空気が排出される。これによりシリンダー１３６内のピストンは、下方へ移動して、これに伴ってロッド１３８も下方へ移動する。
【０１４９】
このロッド１３８の移動に伴い溶接ガン１０３の第二のアーム１３５は、基端側がロッド１３８で引っ張られて下げられ、これに伴って先端側は上げられる。これにより移動電極９５は固定電極８３から後退し、その後、ロボットアーム１２を可動させて、ロボットハンド１３で把持した一対のワークを溶接ガン１０３から離して溶接した両ワークを次の工程に送る。次に溶接する一対のワークを溶接する際は、再度、制御装置を起動させるスイッチをＯＮすると、前述した方法で溶接が行われる。
【０１５０】
そして溶接を繰り返していくと、両電極８３、９５の先端部８３ａ、９５ａが摩耗して固定電極８３の先端部８３ａが基準位置Ｔから外れる。このため、所定の溶接回数を終了した時には溶接プログラム終了後、電極位置の補正プログラムが起動する。この補正プログラムに基づく電極位置の補正手順は第一の実施の形態と同様である（図４参照）。
【０１５１】
まず、当て板２０が基準位置Ｔに合わせて配置可能な状態で、溶接ガン１０３の固定電極８３を基準位置Ｔから離す固定電極離し工程を行う。
【０１５２】
この工程は、電極位置補正プログラムが起動すると、空気供給源５０が起動するとともに、通電装置から電磁方向切替弁ＡのソレノイドＣへ通電がＯＮされ（ステップＳ１）、空気供給源５０から吐き出された空気は電磁方向切替弁Ａ内を通ってブレーキ付エアシリンダー１０４のシリンダチューブ６１の先端部６３に注入される。そして注入される空気の圧力により、ロッド６２のロック状態を解除する（ステップＳ２）。
【０１５３】
続いて通電装置から電磁方向切替弁Ｂの左側のソレノイドＤへ通電がＯＮされ（ステップＳ３）、空気供給源５０から吐き出された空気は切替弁本体Ｂ０内を通ってブレーキ付エアシリンダー１０４のシリンダチューブ６１の基端部６５に注入される。そして注入される空気の圧力によってシリンダーチューブ６１内のピストンは押されて上方へ移動し、これに伴ってロッド６２も上方へ移動する。
【０１５４】
このロッド６２の移動に伴って溶接ガン１０３は、第一のアーム１３４が基端側が下から押されることにより基端側全体が上げられ、これに伴って溶接ガン１０３の先端側全体は、移動電極９５が当て板２０の配置位置に入らないように、下げられる。これにより固定電極８３は、当て板２０が基準位置Ｔに配置可能な状態で、基準位置Ｔから離れる（ステップＳ４）。
【０１５５】
次に、溶接ガン１０３の固定電極８３が基準位置Ｔから離れた状態で、基準位置Ｔに当て板２０を配置する当て板配置工程を行う（ステップＳ５）。
【０１５６】
この工程は、まず固定電極８３が基準位置Ｔから離れると空気注入排出装置が起動し、接続管を介して振込装置１０５のエアシリンダー１５０の接続口からエアシリンダー１５０内へ空気が注入される。そして注入される空気の圧力によってエアシリンダー１５０内のピストンが押されて下方へ移動し、これに伴ってロッド１５３が下方へ移動する。
【０１５７】
これによりアーム１５１は、基端部１５１ａがロッド１５３で下方へ引っ張られることにより回動軸１５１ｂを中心にして先端側が上方へ回動し、当て板２０が基準位置Ｔへ振り込まれ、下面２０ａを基準位置Ｔに合わせて配置される。
【０１５８】
次に、基準位置Ｔから離れた溶接ガン１０３の固定電極８３を、基準位置Ｔに合わせて配置された当て板２０に当てる固定電極当て工程を行う。
【０１５９】
この工程では、基準位置Ｔに当て板２０が配置されたら、まず通電装置から電磁方向切替弁Ｂの左側のソレノイドＥに通電がＯＮされ（ステップＳ６）、空気供給源５０から吐き出された空気は、電磁方向切替弁Ｂ内を通ってブレーキ付エアシリンダー１０４のシリンダーチューブ６１の中間部６４に注入される。そして注入される空気の圧力によってシリンダーチューブ６１内のピストンは押されて下方へ移動し、これに伴ってロッド６２も下方へ移動する。
【０１６０】
このロッド６２の移動によって溶接ガン１０３は、第一のアーム１３４の基端側が下方へ引っ張られて溶接ガン１０３の基端側全体が下げられるとともに、溶接ガン１０３の先端側全体が上げられる。これにより固定電極８３が上方へ移動して先端部８３ａが当て板２０の下面２０ａに当たる（ステップＳ７）。
【０１６１】
また、シリンダーチューブ６１内でピストン下方にある空気は、ピストンが下方へ移動することにより、シリンダーチューブ６１の後部６５から電磁方向切替弁Ｂの外部へ排出される。
【０１６２】
次に、当て板２０に当てた溶接ガン１０３の固定電極８３の位置を固定する固定電極位置固定工程を行う。この工程では、固定電極８３の先端部８３ａが当て板２０に当たった数秒後に通電装置から電磁方向切替弁ＡのソレノイドＣへの通電がＯＦＦされる（ステップＳ８）。
【０１６３】
これにより、空気供給源５０から吐き出された空気はブレーキ付エアシリンダー１０４のシリンダーチューブ６１の先端部６３には注入されず、先端部６３内にある空気は電磁方向切替弁Ａから外部に排出される。
【０１６４】
したがって、シリンダーチューブ６１の先端部６３内に空気が供給されなくなるため、ブレーキが作動してロッド６２がロックされる（ステップＳ９）。
【０１６５】
このため、取付部１３４ｄを介して溶接ガン１０３の第一のアーム１３４の位置が固定されることにより、固定電極８３の位置が当て板２０に当たった状態で固定される（ステップＳ１０）。
【０１６６】
続いて通電装置から電磁方向切替弁Ｂの両ソレノイドＤ、Ｅへの通電がＯＦＦされる（ステップＳ１１）。これにより、空気供給源５０からブレーキ付きエアシリンダー１０４のシリンダーチューブ６１の中間部６４と基端部６５に空気が注入される。
【０１６７】
最後に、当て板２０に当てた固定電極８３の位置が固定された状態で、当て板２０を基準位置Ｔから離す当て板離し工程を行う（ステップＳ１２）。
【０１６８】
この工程は、当て板２０に当てた固定電極８３の位置が固定されると、空気注入排出装置が排出側に切り替わり、振込装置１０５のエアシリンダー１５０内の空気が接続口から接続管を介して空気注入排出装置内へ排出される。
【０１６９】
これにより、エアシリンダー１５０内のピストンが上方へ移動し、これに伴ってロッド１５３が上方へ移動する。このロッド１５３の移動によってアーム１５１は基端部１５１ａがロッド１５３で上方へ押されて上げられるとアーム１５１は回動軸１５１ｂを中心に先端側が下方へ回動し、当て板２０が基準位置Ｔから離れる。これで電極位置の補正処理が終了する。
【０１７０】
この補正処理の結果、溶接ガン１０３の電極８３、９５が摩耗しても固定電極８３の先端部８３ａが基準位置Ｔに合わせられて固定されるため、溶接を再開しても固定電極８３によるワークへの不用意な入力が発生せず、ワークの変形を防ぐことができる。よって、本実施の形態の電極位置補正装置および電極位置補正方法においては、溶接後のワークの品質低下を抑えることができる。
【０１７１】
さらに、固定電極８３の位置が固定されることにより、ワークの溶接箇所は両電極により安定して支持されるため、この溶接ガン１０３を治具として使用することができる。よって、本実施の形態の電極位置補正装置および電極位置補正方法においては、治具の簡素化を図ることができる。
【０１７２】
また、本実施の形態の電極位置補正装置は、固定電極離し手段と固定電極当て手段と固定電極位置固定手段を、固定電極８３を空気圧を利用して移動または固定させるブレーキ付エアシリンダー１０４から構成したことにより電極位置補正装置の構成を簡単にすることができる。よって、電極位置補正装置の製造コストの低減化を図ることができる。
【０１７３】
また、ブレーキ付エアシリンダー１０４の制御を電磁方向切替弁Ａ、Ｂで行うため、電極位置補正装置の構成をさらに簡単にすることができる。よって、電極位置補正装置の製造コストをさらに低減させることができる。
【０１７４】
また、本実施の形態では、当て板配置手段と当て板離し手段とを振込装置１０５から構成したことから電極位置補正装置の構成をさらに簡単にすることができる。よって、電極位置補正装置の製造コストをさらに低減させることができる。
【０１７５】
また、ブレーキ付エアシリンダー１０４を溶接ガン１０３を固定するガンスタンド１０２に取り付けたことから、一般的に高価なサーボ加圧式溶接ガンを用いた電極位置の補正設備及び、自動化設備と同等の設備を構築することが可能になる。よって、サーボ加圧式溶接ガンを用いた場合に比べて電極位置の補正設備の構築にかかるコストを抑えることができ、自動化工程構築にかかるコストも抑えることができる。
【０１７６】
図６は本発明の第３の実施の形態を示すエア加圧式溶接装置２００の要部正面図である。以下、第一の実施の形態と同一の部分には同一の符号を付し、異なる部分を中心に説明する。
【０１７７】
このエア加圧式溶接装置２００は、溶接場所に設けられたロボット２０１と、ロボット２０１に取り付けられた溶接装置本体２０２と、ロボット２０１と対向して溶接場所に設けられたスタンド２０３と、ロボット２０１と溶接装置本体２０２に接続した図外の制御装置と、溶接場所に設けられて溶接するワークを支持する図外の治具とから構成されている。
【０１７８】
ロボット２０１は、ロボット本体１１と、ロボット本体１１に取り付けられた多方向に可動可能なロボットアーム１２とを備えており、このロボットアーム１２の先端に溶接装置本体２０２が取り付けられている。
【０１７９】
この溶接装置本体２０２は、ロボットアーム１２の先端に取り付けられたベース部２０４と、ベース部２０４に取り付けられた可動部４と、可動部４に取り付けられた溶接ガン５とから構成されている。
【０１８０】
ベース部２０４は、ロボットアーム１２先端に取り付けられた取付部２４０と、取付部２４０の先端面２４０ａの一方側から前方へ延出した直線状の延出部２４１と、ロボットアーム１２の先端の他方側と延出部２４１とを連結する三角形状の連結プレート２４２から構成されている。
【０１８１】
また可動部４は、延出部２４１の一方側の面２４１ａに取り付けられたブレーキ付エアシリンダー６と、一端側がブレーキ付エアシリンダー６の先端部に連結して他端側が延出部２４１の一方側の面２４１ａと対向する他方側の面２４１ｂにスライド自在に支持されたガイド部７とから構成されている。
【０１８２】
また、スタンド２０３は、本実施の形態における電極位置補正装置の当て板配置手段と当て板離し手段とを構成している。
【０１８３】
ブレーキ付エアシリンダー６は、本実施の形態における固定電極離し手段と固定電極当て手段と固定電極位置固定手段を構成しており、前記ロボット２０１とで電極位置補正装置を構成している。
【０１８４】
このブレーキ付エアシリンダー６には、図１に示すように、出力側接続管２２、２４、２５を介して電磁方向切替弁Ａ、Ｂの出力側が接続されている。電磁方向切替弁Ａ、Ｂの入力側には入力側接続管２１、２３を介して空気供給源５０が接続されており、電磁方向切替弁Ａ、ＢのソレノイドＣ、Ｄ、Ｅには通電装置が接続されている。
【０１８５】
またガイド部７は、延出部２４１の他方側の面２４１ｂに設けられたガイド部本体７１と、ガイド部本体７１を支持する支持部７２と、支持部７２と前記ブレーキ付エアシリンダー６を連結する連結部７３とから構成されている。
【０１８６】
一方、溶接ガン５は支持部７２に沿って下方へ向いたＣ型に形成されており、支持部７２の一方の面７２ｂに固定された第一のアーム８と、第一のアーム８で支持部７２と反対側に設けられた移動可能な第二のアーム９とから構成されている。
【０１８７】
第一のアーム８には、シャンク８２の先端部に固定電極８３が取り付けられており、この固定電極８３は、先端部８３ａが予め基準位置Ｔに合わせられて固定されている。
【０１８８】
また第二のアーム９には、エアシリンダー９１のシリンダチューブ９２の基端部に接続口（図示せず）が設けられており、接続口には接続管（図示せず）を介して図外の空気注入排出装置が接続されている。またエアシリンダー９１のロッド９３の先端部にはシャンク９４が設けられており、シャンク９４の先端部には移動電極９５が取り付けられている。
【０１８９】
この移動電極９５は先端９５ａが固定電極８３の先端部８３ａと対向して配置されており、ロッド９３を進退させることにより固定電極８３に対し進退するように構成されている。また、図示しないが、この溶接ガンには移動電極９５の位置を検出するセンサが設けられている。
【０１９０】
一方、前記スタンド２０３は、溶接場所に起立したスタンド本体２３１と、スタンド本体２３１でロボット２０１と対向する側面２３２に設けられた支持台２３３とから構成されている。この支持台２３３はロボット２０１に向かって逆Ｌ字状に形成されており、支持台２３３の上面２３４には当て板２０が取り付けられている。
【０１９１】
また前記制御装置は、入力側にケーブルを介して溶接ガン５に設けられた前記センサが接続されており、出力側にそれぞれケーブルを介して空気供給源５０、通電装置、空気注入排出装置、ロボット本体１１が接続されている。
【０１９２】
そしてこの制御装置には制御装置を起動させるスイッチが設けられているとともに、ＣＰＵ、及び処理手順が記憶されたＲＯＭと処理中のデータを記憶するＲＡＭと、前記各機器を駆動するそれぞれの駆動回路が内蔵されており、前記ＲＯＭには、予め設定された溶接プログラムと電極位置補正プログラム等の制御プログラムが記憶されている。
【０１９３】
そして、センサの入力信号と、前記制御プログラムやＲＡＭに記憶されたデータに基づいてＣＰＵが各種の演算処理を実行して前記各駆動回路に制御信号を送り、各駆動回路はＣＰＵからの制御信号に応じて各機器の動作を制御するように構成されている。
【０１９４】
かかる構成において、この溶接装置２００でワークを溶接する際には制御装置を起動させるスイッチをＯＮする。これにより溶接プログラムが起動し、ロボット１０はロボットアーム１２を可動させて溶接ガン５をあらかじめ治具に支持された一対のワークの方へ移動させ、溶接ガン５の固定電極８３を片方のワークに当てて両電極８３、９５間に一対のワークを配置する。
【０１９５】
次に、空気注入排出装置が起動し、溶接ガン５のエアシリンダー９のシリンダーチューブ９１の接続口（図示せず）からシリンダーチューブ９１内に空気が注入される。注入される空気の圧力によってシリンダーチューブ９１内のピストンが前方に押されて前進し、これに伴ってロッド９３が前進する。
【０１９６】
これにより移動電極９５が固定電極８３に向かって前進して固定電極８３とで両ワークを挟んで加圧し、両電極８３、９５間に溶接電流を流して両ワークを溶接する。
【０１９７】
そして、両ワークの溶接後、空気注入排出装置が排出側に切り替わり、シリンダーチューブ９１の接続口９１ａから接続管を介してエア注入排出装置内へ空気が排出され、移動電極９５が固定電極８３から後退する。その後、ロボットアーム１２を可動させて溶接ガン５を治具に支持された一対のワークの別の溶接部位へ移動させ、前述した方法で溶接する。
【０１９８】
そして溶接回数が多くなると、溶接ガン５の両電極８３、９５の先端部８３ａ、９５ａが摩耗して固定電極８３の先端部８３ａが基準位置Ｔから外れる。このため、所定の溶接回数を終了した時には溶接プログラム終了後、電極位置の補正プログラムが起動する。この補正プログラムに基づく電極位置の補正手順は第１の実施の形態や第２の実施の形態と同様である（図４参照）。
【０１９９】
まず、当て板２０が基準位置Ｔに合わせて配置可能な状態で、溶接ガン５の固定電極８３を基準位置Ｔから離す固定電極離し工程を行う。
【０２００】
この工程は、電極位置の補正プログラムが起動すると空気供給源５０が起動するとともに、通電装置から電磁方向切替弁ＡのソレノイドＣへ通電がＯＮされ（ステップＳ１）、空気供給源５０から吐き出された空気は切替弁本体Ａ０内を通ってブレーキ付エアシリンダー６のシリンダチューブ６１の前部６３に注入される。そして、注入される空気の圧力によりロッド６２のロック状態を解除する（ステップＳ２）。これによりロッド６２は前後方向Ｙに自由に移動可能な状態になる。
【０２０１】
続いて通電装置から電磁方向切替弁Ｂの左側のソレノイドＤへ通電がＯＮされ（ステップＳ３）、空気供給源５０から吐き出された空気は、切替弁本体Ｂ０内を通ってブレーキ付エアシリンダー６のシリンダチューブ６１の後部６５に注入される。そして、注入される空気の圧力によってシリンダーチューブ６１内のピストンは前方（下方）へ押されて移動し、これに伴ってロッド６２も前方（下方）へ移動する。
【０２０２】
このロッド６２の移動に伴ってガイド部７は、ガイド部本体７１に案内されながら支持部７２が、ベース部２０４の延出部２４１に沿って前方（下方）へ移動する。この支持部７２の移動により、移動電極９５が当て板２０の配置位置に入らないように溶接ガン５全体が前方（下方）へ移動し、この結果、固定電極８３は当て板２０が基準位置Ｔに配置可能な状態で基準位置Ｔから離れる（ステップＳ４）。
【０２０３】
次に、溶接ガン５の固定電極８３が基準位置Ｔから離れた状態で、基準位置Ｔに当て板２０を合わせて配置する当て板配置工程を行う（ステップＳ５）。
【０２０４】
本実施の形態では、当て板２０は固定物のためロボットアーム１２を可動させて溶接ガン５をスタンド２０３の支持台２３３の方へ移動させ、溶接ガン５の両電極８３、９５間に当て板２０を入れて当て板２０の下面２０ａ基準位置Ｔに合わせて配置する。
【０２０５】
次に、基準位置Ｔから離れた溶接ガン５の固定電極８３の先端８３ａを、基準位置に合わせて配置された当て板２０に当てる固定電極当て工程を行う。
【０２０６】
この工程は、基準位置Ｔに当て板２０が配置されたら、通電装置から電磁方向切替弁Ｂの右側のソレノイドＥに通電がＯＮされ（ステップＳ６）、空気供給源５０から吐き出された空気は、切替弁本体Ｂ０内を通ってブレーキ付エアシリンダー６のシリンダチューブ６１の中間部６４に注入される。そして注入された空気の圧力によりシリンダーチューブ６１内のピストンは後方（上方）へ押されて移動し、これに伴ってロッド６２も後方（上方）へ移動する。
【０２０７】
このロッド６２の移動によってガイド部７は、支持部７２がガイド部本体７１に案内されながらベース部２０４の延出部２４１に沿って後方（上方）へ移動する。支持部７２の移動によって溶接ガン５全体が後方（上方）へ移動し、この結果、固定電極８３の先端部８３ａが当て板２０の下面２０ａに当たる（ステップＳ７）。
【０２０８】
次に、当て板２０に当てた溶接ガン５の固定電極８３の位置を固定する固定電極位置固定工程を行う。この工程は、固定電極８３が当て板２０に当たった数秒後に、通電装置から電磁方向切替弁ＡのソレノイドＣへの通電がＯＦＦされる（ステップＳ８）。
【０２０９】
これにより空気供給源５０から吐き出された空気は、ブレーキ付エアシリンダー６のシリンダチューブ６１の前部６３には注入されず、前部６３内にある空気は出力側接続管２２を介して切替弁本体Ａ０内に入って外部へ排出される。
【０２１０】
したがって、シリンダチューブ６１の前部６３内にあるブレーキには空気が供給されなくなるため、ブレーキが作動してロッド６２をロックする（ステップＳ９）。
【０２１１】
この結果、溶接ガン５の固定電極８３の先端が当て板２０の一方の面２０ａに当てた状態で固定される（ステップＳ１０）。
【０２１２】
続いて電磁方向切替弁Ｂの両ソレノイドＤ、Ｅへの通電がＯＦＦされ（ステップＳ１１）、空気供給源５０から吐き出された空気は、切替弁本体Ｂ０内を通ってブレーキ付エアシリンダー６のシリンダチューブ６１の中間部６４と後部６５に注入される。
【０２１３】
最後に、当て板２０に当てた溶接ガン５の固定電極８３の位置が固定された状態で、当て板２０を基準位置Ｔから離す当て板離し工程を行う（ステップＳ１２）。
【０２１４】
本実施の形態では、ロボットアーム１２を可動させて溶接ガン５をスタンド２０３から離すことにより溶接ガン５の固定電極８３は当て板２０の基準位置Ｔから離れる。これで電極位置の補正処理が終了する。
【０２１５】
この補正処理の結果、溶接ガン５の電極８３、９５が摩耗しても、固定電極８３の先端部８３ａが基準位置Ｔに合わせられて固定されるため、溶接を再開しても固定電極８３によるワークへの不用意な入力が発生せず、ワークの変形を防ぐことができる。よって、本実施の形態の電極位置補正装置および電極位置補正方法においては、溶接後のワークの品質低下を抑えることができる。
【０２１６】
さらに、固定電極８３の位置が固定されることにより、ワークの溶接箇所は両電極により安定して支持されるため、この溶接ガン５を治具として使用することができる。よって、本実施の形態の電極位置補正装置および電極位置補正方法においては、治具の簡素化を図ることができる。
【０２１７】
また、本実施の形態の電極位置補正装置では、固定電極離し手段と固定電極当て手段と固定電極位置固定手段を、固定電極８３を空気圧を利用して移動または固定させるブレーキ付エアシリンダー６から構成したことにより電極位置補正装置の構成を簡単にすることができる。よって、電極位置補正装置の製造コストの低減化を図ることができる。
【０２１８】
また、ブレーキ付エアシリンダー６の制御を電磁方向切替弁Ａ、Ｂで行うため、電極位置補正装置の構成をさらに簡単にすることができる。よって、電極位置補正装置の製造コストをさらに低減させることができる。
【０２１９】
また、当て板配置手段と当て板離し手段とをロボット１０から構成したことから電極位置補正装置の構成をさらに簡単にすることができる。よって、電極位置補正装置の製造コストをさらに低減させることができる。
【０２２０】
また、ブレーキ付エアシリンダー６を溶接ガン５を移動させるロボット２０１に取り付けたことから、一般的に高価なサーボ加圧式溶接ガンを用いた電極位置の補正設備及び、自動化設備と同等の設備を構築することが可能になる。よって、サーボ加圧式溶接ガンを用いた場合に比べて電極位置の補正設備の構築にかかるコストを抑えることができ、また自動化工程構築にかかるコストも抑えることができる。
【０２２１】
また、溶接ガン５はブレーキ付エアシリンダー６のロッド６２の移動に伴ってガイド部７で案内されながら移動することから、溶接ガン５は移動の際にふらつくことがなくなる。したがって、固定電極８３を当て板２０にしっかりと当てることが可能となり、先端部８３ａを基準位置Ｔに確実に合わせて配置することができる。よって、電極位置補正装置の性能を高めることができる。
【０２２２】
なお、各実施の形態では、固定電極離し手段と固定電極当て手段と固定電極位置固定手段をブレーキ付エアシリンダー６、１０４から構成したが、このブレーキ付エアシリンダーに限定されることはなく、他のアクチュエータを使用しても良い。
【０２２３】
【発明の効果】
以上説明したように本発明の請求項１記載のエア加圧式溶接ガンの電極位置補正装置においては、溶接ガンの電極が摩耗した際には各手段を用いることで固定電極の先端部が基準位置に合わせられて固定されるため、溶接を再開しても固定電極によるワークへの不用意な入力が発生せず、ワークの変形を防ぐことができる。よって、溶接後のワークの品質低下を抑えることができる。
【０２２４】
さらに、固定電極の位置が固定されることからワークの溶接箇所が両電極で安定して支持されるため、エア加圧式溶接ガンを治具として使用することができる。よって、治具の簡素化を図ることができる。
【０２２５】
また、請求項２記載のエア加圧式溶接ガンの電極位置補正装置においては、電極位置補正装置の構成を簡単にすることができる。よって、電極位置補正装置の製造コストの低減化を図ることができる。
【０２２６】
また、請求項３記載のエア加圧式溶接ガンの電極位置補正装置においては、一般的に高価なサーボ加圧式溶接ガンを用いた電極位置の補正設備及び、自動化設備と同等の設備を構築することが可能になる。よって、サーボ加圧式溶接ガンを用いた場合に比べて電極位置の補正設備の構築にかかるコストを抑えることができる。また、自動化工程構築にかかるコストも抑えることができる。
【０２２７】
また、請求項４記載のエア加圧式溶接ガンの電極位置補正装置においては、一般的に高価なサーボ加圧式溶接ガンを用いた電極位置の補正設備及び、自動化設備と同等の設備を構築することが可能になる。よって、サーボ加圧式溶接ガンを用いた場合に比べて電極位置の補正設備の構築にかかるコストを抑えることができる。また、自動化工程構築にかかるコストも抑えることができる。
【０２２８】
また、請求項５記載のエア加圧式溶接ガンの電極位置補正方法においては、溶接ガンの電極が摩耗した際には各工程により固定電極の先端部が基準位置に合わせられて固定されるため、溶接を再開しても固定電極によるワークへの不用意な入力が発生せず、ワークの変形を防ぐことができる。よって、溶接後のワークの品質低下を抑えることができる。
【０２２９】
さらに、固定電極の位置が固定されることから両電極で溶接箇所が安定して支持されるため、エア加圧式溶接ガンを治具として使用することができる。よって、治具の簡素化を図ることができる。
【図面の簡単な説明】
【図１】本発明の第１の実施の形態を示すエア加圧式溶接装置の概略構成図である。
【図２】図１の要部斜視図である。
【図３】電極位置の補正処理に伴う電極の位置変化を示す図である。
【図４】電極位置の補正手順を示すフローチャートである。
【図５】本発明の第２の実施の形態を示すエア加圧式溶接装置の要部構成図である。
【図６】本発明の第３の実施の形態を示すエア加圧式溶接装置の要部構成図である。
【符号の説明】
３    ガンスタンド
５    エア加圧式溶接ガン（Ｃ型）
６    ブレーキ付エアシリンダー
１０    ロボット
２０    当て板
８３    固定電極
９５    移動電極
１０３    エア加圧式溶接ガン（Ｘ型）
１０４    ブレーキ付エアシリンダー
１０５    振込装置
２０１    ロボット
Ｔ    基準位置
【図１】
2004351476.tif 000003
【図２】
2004351476.tif 000004
【図３】
2004351476.tif 000005
【図４】
2004351476.tif 000006
【図５】
2004351476.tif 000007
【図６】
2004351476.tif 000008